【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
センサ信号を処理するのに使用される処理回路網であって、
複数のセンサ入力から複数のセンサ信号を受信するように構成され、一連の時間間隔において時分割して前記複数のセンサ信号を第１の測定回路に通し、それに応答するセンサ測定値の第１の時分割シーケンスを生成するように構成される第１の測定回路と、
少なくとも１つのセンサ信号を受信するように構成され、前記少なくとも１つのセンサ信号を第２の測定回路に通し、それに応答するセンサ測定値を生成するように構成される第２の測定回路と、
前記第１の測定回路及び前記第２の測定回路により生成された前記センサ測定値を処理して、センサ結果を判定し且つ出力するように構成される測定値処理回路網とを備え、
前記第１の測定回路及び前記第２の測定回路の双方は、少なくとも１つの共通センサ入力からセンサ信号を受信し且つそれに応答する共通センサ測定値をそれぞれ出力するように構成され、
前記測定値処理回路網は、前記共通センサ測定値を使用して、前記第２の測定回路から取得されるセンサ測定値を前記第１の測定回路から取得されるセンサ測定値に関連付ける第１のマッピングデータを判定するように構成されることを特徴とする処理回路網。
【請求項２】
前記測定値処理回路網は、前記第２の測定回路から取得された少なくとも１つのセンサ測定値及び前記第１のマッピングデータを使用してセンサ結果を判定するように構成されることを特徴とする請求項１記載の処理回路網。
【請求項３】
前記複数のセンサ入力は補助センサ入力を含み、前記第２の測定回路から取得されたセンサ測定値を使用して取得されたセンサ結果を補正するための較正データは、前記補助センサ入力からのセンサ信号が前記第１の測定回路を通される時に前記第１の測定回路から取得されるセンサ測定値を使用して判定されることを特徴とする請求項１又は２記載の処理回路網。
【請求項４】
少なくとも１つのセンサ信号を受信するように構成され、前記少なくとも１つのセンサ信号を第３の測定回路に通し、それに応答するセンサ測定値を生成するように構成される第３の測定回路を更に備え、
前記第１の測定回路及び前記第３の測定回路の双方は、少なくとも１つの共通センサ入力からセンサ信号を受信し且つそれに応答する共通センサ測定値をそれぞれ出力するように構成され、
前記測定値処理回路網は、前記第１の測定回路及び前記第３の測定回路から取得された共通センサ測定値を使用して、前記第３の測定回路から取得されるセンサ測定値を前記第１の測定回路から取得されるセンサ測定値に関連付ける第２のマッピングデータを判定するように構成されることを特徴とする請求項１から３のいずれか１項に記載の処理回路網。
【請求項５】
前記測定値処理回路網は、前記第２の測定回路から取得されたセンサ測定値、前記第３の測定回路から取得されたセンサ測定値、前記第１のマッピングデータ及び前記第２のマッピングデータを使用してセンサ結果を判定するように構成されることを特徴とする請求項４記載の処理回路網。
【請求項６】
前記測定値処理回路網は、i）前記第２の測定回路から取得された前記共通センサ測定値を使用して第１の主センサ測定値を判定するために、前記第１のマッピングデータを使用し、ii）前記第３の測定回路から取得された前記共通センサ測定値を使用して第２の主センサ測定値を判定するために、前記第２のマッピングデータを使用し、iii）レシオメトリック結果を判定するために、前記第１の主センサ測定値及び前記第２の主センサ測定値のレシオメトリック計算を実行し、iv）前記レシオメトリック結果を使用してセンサ結果を判定し且つ出力するように構成されることを特徴とする請求項４又は５記載の処理回路網。
【請求項７】
各測定回路は補助動作モード及び主センサ動作モードを有し、前記第１の測定回路が前記主センサ動作モードで動作するように構成される場合、前記第２の測定回路は前記補助動作モードで動作するように構成され、前記第１の測定回路が前記補助動作モードで動作するように構成される場合、前記第２の測定回路は前記主センサ動作モードで動作するように構成され、前記主センサ動作モードで動作している場合、測定回路は、少なくとも１つの主センサ入力から取得された前記センサ信号を通し且つ補助センサ入力からのセンサ信号を通さないように構成され、前記補助動作モードで動作している場合、測定回路は、前記補助センサ入力から取得された信号及び前記少なくとも１つの主センサ入力から取得されたセンサ信号を時分割して通すように構成されることを特徴とする請求項１から６のいずれか１項に記載の処理回路網。
【請求項８】
前記測定値処理回路網は、前記測定回路が前記補助動作モードで動作している時に前記少なくとも１つの主センサ入力から取得された前記センサ信号のセンサ測定値を使用して測定回路に対する較正データを判定するように構成され、前記主センサ動作モードで動作している時に前記測定回路から取得されたセンサ結果に前記較正データを適用するように構成されることを特徴とする請求項７記載の処理回路網。
【請求項９】
前記第１の測定回路から取得されたセンサ測定値をデジタルデータに変換する第１のアナログ／デジタル変換器（ＡＤＣ）回路網と、前記第２の測定回路から取得されたセンサ測定値を変換する第２のアナログ／デジタル変換器回路網とを備え、前記測定値処理回路網は、前記第２の測定回路から取得されたセンサ測定値を使用して判定された速度測定値に依存して、前記第１のＡＤＣ回路網により実行される変換のタイミングを動的に調節するように構成されることを特徴とする請求項１から８のいずれか１項に記載の処理回路網。
【請求項１０】
前記測定値処理回路網は、前記第１の測定回路から取得されたセンサ測定値を使用して判定された速度測定値に依存して、前記第２のＡＤＣ回路網により実行される変換のタイミングを動的に調節するように構成されることを特徴とする請求項９記載の処理回路網。
【請求項１１】
位置センサにおいて使用される処理回路網であって、各々が少なくとも１つの共通センサ信号を処理し且つ対応する測定値を提供する第１の測定回路及び第２の測定回路と、測定値処理回路網がセンサ結果を判定するために一方の測定回路からの前記測定値を使用している間は他方の測定回路から取得された測定値が当該測定回路から取得される後続の測定値を補正するために使用される補正データを判定するために使用されるように、各測定回路からの前記測定値を時間インターリーブして循環して使用してセンサ結果を判定するように構成される測定値処理回路網とを備えることを特徴とする処理回路網。
【請求項１２】
各測定回路は、第１の主センサ入力及び第２の主センサ入力から受信された第１のセンサ信号及び第２のセンサ信号に対するセンサ測定値をそれぞれ生成するように構成され、前記測定値処理回路網は、前記第１の測定回路により生成された前記センサ測定値を使用して第１のレシオメトリック関数の値を判定し、前記第２の測定回路により生成された前記センサ測定値を使用して第２のレシオメトリック関数の値を判定し、前記判定された値を使用してセンサ結果を判定するように構成されることを特徴とする請求項１に記載の処理回路網。
【請求項１３】
各測定回路は、第１の主センサ入力及び第２の主センサ入力から受信された第１のセンサ信号及び第２のセンサ信号を使用して、前記第１のセンサ信号及び前記第２のセンサ信号の比率に依存して変化するセンサ測定値信号をそれぞれ生成するように構成され、前記測定値処理回路網は、前記センサ測定値信号を処理して前記比率の値を判定し且つ前記判定された値を使用してセンサ結果を判定するように構成されることを特徴とする請求項１に記載の処理回路網。
【請求項１４】
ターゲット及び検出素子の相対位置に依存する信号が前記検出素子において生成されるように、i）前記検出素子及びii）前記ターゲットの少なくとも一方が他方に対して移動可能である複数の検出素子及びターゲットと、
前記検出素子からの前記信号を処理し、前記ターゲット及び前記検出素子の前記相対位置に関する位置情報を判定し且つ出力する請求項１から１３のいずれか１項に記載の処理回路網と、
を備えることを特徴とする位置センサ。
【請求項１５】
請求項１から１３のいずれか１項に記載の処理回路網を使用することを特徴とするセンサターゲットの位置を検知するための位置検知方法。